(57)【要約】      （修正有）【課題】蝶棒の箱体への挿入操作性を向上させると共に、挿入後にテープ面に直交する向きの力が加わっても蝶棒が容易に箱体から外れず、ファスナーテープを横断する方向の引張力にも蝶棒が箱体内で転動することのない開離嵌挿具付隠しスライドファスナーを提供。【解決手段】左右のファスナーテープTに成形された箱体と箱体に固着された箱棒2及び前記箱体に挿入可能な蝶棒3を有する開離嵌挿具付隠しスライドファスナーで、前記箱体は、前記蝶棒の箱体挿脱部32aを挿脱する蝶棒挿脱空間部7と、前記蝶棒の係脱部32bを係脱する被係脱部9とを備え、前記箱体の前記蝶棒挿脱空間部と前記被係脱部とが隔壁8を介して離隔され、前記隔壁は、その箱棒側の端部に、前記蝶棒の前記側壁部を全長にわたって案内する切欠き部8aを有する。前記蝶棒の前記箱体挿脱部と前記係脱部とのテープ折曲端縁側が少なくとも前記係脱部の全長にわたり側壁部により連結されている。【選択図】図１
2008220842.tif 000002
【特許請求の範囲】
【請求項１】
一対のファスナーテープＴの対向側側縁部を長さ方向に沿ってＵ字状に折り曲げ、その折曲縁部(4) に沿って多数のファスナーエレメント(E) を取り付けたファスナーストリンガーの各ファスナーテープ(T) の長さ方向一端部からそれぞれ延出して各ファスナーテープ(T) に成形一体化された箱体(1) 、同箱体(1) に固着された箱棒(2) 、及び前記箱体(1) に挿入可能な蝶棒(3) を有する開離嵌挿具を備えた隠しスライドファスナーであって、  前記箱体(1) は、前記蝶棒(3) の一部が挿脱される蝶棒挿脱空間部(7) と、前記蝶棒(3) の他部が係脱される被係脱部(9) とを備え、
前記蝶棒(3) の前記一部は、前記箱体(1) の前記蝶棒挿脱空間部(7) に挿脱される箱体挿脱部(32a) であり、
前記蝶棒(3) の前記他部は、前記箱体挿脱部(32a) と離間間隙を有して平行に配され、前記箱体(1) の前記被係脱部(9) と係脱する係脱部(32b) であり、
前記箱体(1) の前記蝶棒挿脱空間部(7) と前記被係脱部(9) とが隔壁(8) を介して離隔して配され、
前記蝶棒(3) の前記箱体挿脱部(32a) と前記係脱部(32b) とのテープ折曲端縁側が少なくとも前記係脱部(32b) の全長にわたり側壁部(32c) により連結され、
前記箱体(1) の前記隔壁(8) における前記箱棒側の端部に、前記蝶棒(3) の前記側壁部(32c) を全長にわたって案内する切欠き部(8a)を有してなる、
ことを特徴とする隠しスライドファスナー。
【請求項２】
前記蝶棒(3) における前記箱体挿脱部(32a) と前記係脱部(32b) との間の前記離間間隙の寸法(D) が、前記箱体(1) における前記隔壁(8) の壁厚より大きく設定されてなる請求項１記載の隠しスライドファスナー。
【請求項３】
前記蝶棒(3) における前記箱体挿脱部(32a) と前記係脱部(32b) との間に前記箱体(1) の前記隔壁(8) が入り込み、前記隔壁(8) の前記切欠き部(8a)側の側縁が前記側壁部(32c) に対面してなることを特徴とする請求項１記載の隠しスライドファスナー。
【発明の詳細な説明】
【技術分野】
【０００１】
本発明は、左右一対のファスナーテープの対向側側縁を長さ方向に沿ってＵ字状に折り曲げ、その折り曲げ側端に沿って多数のファスナーエレメントを取り付けたファスナーストリンガーを有する隠しスライドファスナーに関し、特に前記一対のファスナーストリンガーの各長さ方向一端部に成形一体化された熱可塑性合成樹脂材料からなる箱棒と、蝶棒と、前記箱棒と一体化され蝶棒が挿脱可能な箱体とを有する開離嵌挿具の構造に特徴を備えた隠しスライドファスナーに関する。
【背景技術】
【０００２】
通常のスライドファスナーは、左右一対のファスナーテープの対向側側縁に沿って多数のファスナーエレメントが取り付けられた一対のファスナーストリンガーがスライダーに通され、スライダーの摺動操作により左右のファスナーエレメントを噛合させたり、噛合を解除したりして開閉する。このときスライダーの摺動限を規定するため、スライドファスナーの長さ方向の両端部にそれぞれ止部が形成されている。
【０００３】
これに対して、隠しスライドファスナーは、左右一対のファスナーテープの対向側縁を長さ方向に沿って断面Ｕ字状に折り曲げて、その形状が固定して、そのＵ字状の折り返し部分の外面に沿って多数のファスナーエレメントが所定のピッチで取り付けられてファスナーストリンガーを構成している。そのファスナーストリンガーの長さ方向の両端部には、上記通常のスライドファスナーと同様に、止部が形成されている。
【０００４】
一般の止部には、常に左右のファスナーストリンガーの端部を分離状態におく上止部と、常に左右のファスナーストリンガーの端部を連結状態におく下止部とがある。開離嵌挿具は下止部の一種であり、スライドファスナーの開放時に蝶棒を箱体から抜き出しスライダーからも抜き取ると左右のファスナーストリンガーを完全に分離させることができ、蝶棒をスライダーを介して箱体に挿入して、左右のファスナーストリンガーが箱棒及び箱体を介して連結され、スライダーを摺動させることにより分離した左右のファスナーストリンガーの対向するファスナーエレメントを噛合させてスライドファスナーを閉じる。
【０００５】
隠しスライドファスナーの開離嵌挿具は、通常のスライドファスナーにおける開離嵌挿具とは異なる特有の構成を有している。これは、隠しスライドファスナーにおけるファスナーストリンガーの上記テープ折曲げ構造と、その折曲げ構造に適合するためのスライダーの構造とに起因する。隠しスライドファスナーのスライダーは、製品表面に露呈する上翼板がなく、製品裏面側に配される下翼板の左右端縁から製品表面側に立ち上がり、互いに接近する方向に直角に折り曲がる左右の断面Ｌ字型のフランジを有し、更にその下翼板の一端部中央から製品表面側に立ち上がり、先端に引手取付部を有する柱部を備えている。前記下翼板と断面Ｌ字型の前記フランジとの間に形成されるＹ字状の空間部がエレメント案内通路となる。
【０００６】
隠しスライドファスナーにおけるスライダーの摺動操作時には、ファスナーエレメント列が前記スライダーのＹ字状のエレメント案内通路に案内されると同時に、ファスナーテープのＵ字状折曲げ部のテープ本体側をスライダーのフランジと柱部との間の間隙から外部へ引き出した状態で案内しなければならない。すなわち、開離嵌挿具の連結時には一方のファスナーストリンガーの端部に取り付けられた蝶棒を、スライダーの断面Ｌ字型フランジと下翼板との間に形成される空間部に挿通させたのち、他方のファスナーストリンガーの端部に取り付けられた箱体の蝶棒挿入空間部に挿入する必要がある。このとき、蝶棒が単なる単一の棒状体から構成されている場合には挿入は簡単であるが、ファスナーテープにスライドファスナーのエレメント列を横断する方向の力（横引き力）がかかると、例えば特開２００３−１８０４１１号公報（特許文献１）にも記載されているとおり、蝶棒が箱体の内部で転がってしまいやすい。
【０００７】
前記特許文献１では、横引き力が加わったときでも蝶棒が箱体内で転がらないように、箱体の蝶棒挿入空間部へと挿入される本来の箱体挿脱部と、同箱体挿脱部との間で前記スライダーのフランジを挟んで係脱する係脱部との二つの部分で構成するようにしている。一方、箱体にも前記蝶棒の箱体挿脱部が挿入される蝶棒挿入空間部と係脱部が係着する係脱部との間に壁部を形成して、蝶棒の箱体挿脱部が箱体の蝶棒挿入空間に挿入されたとき、前記壁部を箱体挿脱部と係脱部との間で挟み込むように、前記箱体挿脱部と係脱部を離間させて構成するとともに、蝶棒と箱棒に連続するエレメント取付け側とは反対のテープ表面に、それぞれ横格子状の補強部を蝶棒と箱棒との成形と同時に成形一体化している。こうした構成により、蝶棒が箱体に挿入係着されたのちに、スライドファスナーに横引き力が加わっても、蝶棒が箱体内で転がるようなことがなくなるとしている。
【特許文献１】特開２００３−１８０４１１号公報
【発明の開示】
【発明が解決しようとする課題】
【０００８】
ところで、前記特許文献１に記載された隠しスライドファスナーは、確かに箱体の前壁部に蝶棒の箱体挿脱部と係脱部とが跨がった状態で蝶棒が箱体に差し込まれるため、上述のような横引き力に対しても箱体内で転がることがなくなる。
【０００９】
しかしながら、同特許文献１に記載された隠しスライドファスナーでは、前記箱体挿脱部と係脱部とが完全に分離しているため、箱体挿脱部をスライダーの下翼板と断面Ｌ字型のフランジとの間の空間に挿通させるとき、誤って箱体挿脱部と係脱部との間でスライダーの下翼板を挟み込みやすく、そのまま強く押し込もうとすると箱体挿脱部と係脱部との分岐部において裂けるようにして破断しかねない。また蝶棒を箱体の蝶棒挿入空間に差し込もうとするときも、係脱部が箱体の壁部に引っ掛かって、係脱部を箱体の被係着部まで円滑に差し込むことができないばかりでなく、これを無理して押し込もうとすると係脱部が破損しかねない。
【００１０】
更にまた、蝶棒が箱体挿脱部と係脱部とが基部から完全に分離されているため、例えば上述のように強い突き上げ力が加わった場合、係脱部が弾性的に変形して箱体から外れ、左右のファスナーストリンガーの噛合状態が外れて分離しやすい。
【００１１】
本発明は、こうした課題を解決すべくなされたものであり、その具体的な目的は隠しスライドファスナーに特有な構造をもつ開離嵌挿具にあって、蝶棒を箱体に円滑に且つ確実に挿入することができ、しかも横引き力や突き上げ力が働いても簡単には変形や破損がしにくい開離嵌挿具を備えた隠しスライドファスナーを提供することにある。
【課題を解決するための手段】
【００１２】
かかる目的は、本発明の基本構成である一対のファスナーテープＴの対向側側縁部を長さ方向に沿ってＵ字状に折り曲げ、その折曲端縁に沿って多数のファスナーエレメントを取り付けたファスナーストリンガーの各ファスナーテープの長さ方向一端部からそれぞれ延出して各ファスナーテープに成形一体化された蝶棒、箱棒及び同箱棒に固着される箱体を有する開離嵌挿具を備えた隠しスライドファスナーであって、前記箱体は、前記蝶棒の一部が挿脱される挿脱空間部と、前記蝶棒の他部が係脱される被係脱部とを備え、前記蝶棒の前記一部は、前記箱体の前記挿脱空間部に挿脱される箱体挿脱部であり、前記蝶棒の前記他部は、前記箱体挿脱部と離間間隙を有して平行に配され、前記箱体の前記被係脱部と係脱する係脱部であり、前記箱体の前記挿脱空間部と前記被係脱部とが隔壁を介して離隔して配され、前記蝶棒の前記箱体挿脱部と前記係脱部とのテープ折り返し端縁側が係脱部の全長にわたって側壁部により連結され、前記箱体の前記隔壁における前記箱棒側の端部に、前記蝶棒の前記側壁部を全長にわたって案内する切欠き部を有してなることを特徴とする隠しスライドファスナーにより効果的に達成される。
【００１３】
好ましい態様によれば、前記蝶棒における前記箱体挿脱部と前記係脱部との間の前記離間間隙の寸法が、前記箱体における前記隔壁の壁厚より大きく設定され、更には前記隔壁の前記切欠き部側の側縁を前記側壁部と対面するように設定することが望ましい。
【発明の作用効果】
【００１４】
本発明によれば、蝶棒の箱体挿脱部と係脱部とが側壁部によって少なくとも係脱部の全長にわたって連結されており、一方の箱体も蝶棒の箱体挿脱部が挿脱される挿脱空間部と被係脱部とを離隔させる隔壁の箱棒側端部に、前記側壁部を全長にわたって案内する切欠き部が形成されていることにより、蝶棒をスライダーを介して箱体に挿入するとき、上記特許文献１とは異なり蝶棒の箱体挿脱部と係脱部との間でスライダーの下翼板を挟み込むことがなく、また蝶棒の側壁部が箱体の前記切欠き部に確実に案内されて、蝶棒の箱体挿脱部及び係脱部が箱体の隔壁に引っ掛かったりせず、確実に且つ極めて円滑に蝶棒を箱体に挿入させることが可能となる。
【００１５】
更に、蝶棒を箱体に挿入したのちも、蝶棒の箱体挿脱部と係脱部とが少なくとも係脱部の延出長さに等しい長さをもつ側壁部によって連結されているため、箱体挿脱部と係脱部と前記側壁部によって補強され、例えば箱体挿脱部と係脱部とを切り離すような力が加わっても簡単には破壊せず、或いは変形しないため、蝶棒が箱体から外れにくくなり、耐久性が一段と向上する。
【発明を実施するための最良の形態】
【００１６】
以下、本発明の隠しスライドファスナーの代表的な実施の形態を、図面を参照しながら具体的に説明する。
【００１７】
本発明の隠しスライドファスナーの開離嵌挿具は、図１に示すように、箱体１、箱棒２、蝶棒３の３部材から構成されている。図示実施形態によれば、箱棒２及び蝶棒３は、ポリアミド、ポリアセタール、ポリプロピレン、ポリブチレンテレフタレートなどの熱可塑性合成樹脂を用いて左右一対のファスナーテープの各一端に射出成形により一体化される。また本実施形態によれば、前記箱体１と箱棒２とが一体に成形されるが、例えば上記特許文献１に記載されているように、一対のファスナーストリンガーの各一端に箱棒及び蝶棒を一体に成形するとともに、箱棒挿入空間と蝶棒挿入空間とをもつ箱体を箱棒とは別に単独に成形したのち、箱棒を同箱体の箱棒挿入空間に挿入し、同箱棒挿入空間の図示せぬ被係着部に抜出し不能に係着固定するように構成することもできる。
【００１８】
左右一対のファスナーテープＴは、その対向側縁部が長さ方向に沿ってＵ字状に折り曲げ固定され、全体としてＪ字状を呈している。このファスナーテープＴの折曲縁部４の折曲縁片４ａの表面に沿って多数のファスナーエレメントＥが縫製により取り付けられている。このファスナーエレメントＥは合成樹脂製モノフィラメントをコイル状に又はジグザグ状に成形される。ファスナーエレメントＥは、相手方のファスナーエレメントＥと噛合／離脱する噛合頭部と、同噛合頭部から一方向に延びる一対の脚部と、隣接するエレメント間の脚部同士を連結する連結部とからなり、連続状のファスナーエレメント列ＥＲを形成する。このコイル状のファスナーエレメント列ＥＲには繊維製の編組物からなる芯紐５が挿通され、芯紐５に図示せぬ縫製糸を刺通させて、縫製糸がファスナーエレメントＥを跨ぐように縫製してファスナーテープＴに縫着される。縫着された状態では、ファスナーエレメントＥの噛合頭部は折曲縁部４から外側に突出している。
【００１９】
図示例にあって前記箱棒２は略角柱状を呈しており、一方のファスナーテープＴの折曲縁部４に取り付けたファスナーエレメントＥに連接してファスナーテープＴの一端からテープ長さ方向に突出させた状態て成形一体化される。このとき、ファスナーテープＴの折曲縁部４のファスナーエレメントＥが取り付けられていないテープ本体４ｂ側の表面には、ファスナーテープの開離嵌挿具取付端部を補強するため、上記特許文献１に記載された開離嵌挿具と同様に、箱棒２の側面から一体に延びる横格子状の補強部６が成形一体化されている。
【００２０】
箱体１は、図１に示すように、前記箱棒２における蝶棒３と対向する面を内壁面２ａとする立方状の箱形を呈している。この箱体１は上面が開口して内部に蝶棒３の一部が挿脱される蝶棒挿脱空間部７を形成している。蝶棒挿脱空間部７を囲む壁部のうち、前面側（図１の手前側）に配される隔壁８は、箱棒２の前記内壁面２ａ側の端部に所要の幅をもって上端から下端まで連続して切り欠かれた切欠き部８ａを有している。前記切欠き部８ａによって、隔壁８にはファスナーテープＴの長手方向に沿う縁部が形成される。この切欠き部８ａの幅は、蝶棒３の後述する側壁部３２ｃの肉厚よりも大きな寸法とされ、またその切欠き深さは、前記蝶棒３の一部が蝶棒挿脱空間７に所定の位置まで挿入された状態において、前記蝶棒３の前記側壁部３２ｃが入り込むように設定されている。
【００２１】
更に、前記隔壁８の前記蝶棒挿脱空間部７とは反対側の壁面には、前記蝶棒３の他部が係脱される斜め立上り部分９ａと水平部分９ｂとからなる横Ｊ字型の被係脱部９が前方に突出して一体成形されている。因みに、前記切欠き部８ａの下端面位置と前記被係脱部９の水平部分９ｂの上面位置とは同一平面上にある。したがって、前記切欠き部８ａの切り欠き深さは、箱体１の上面から前記水平部分９ｂの上面位置までとなる。また、前記隔壁８の切欠き部８ａ側の側縁は、被係脱部９よりも箱棒２側に位置し、後述する蝶棒３の係脱部３２ｂが前期被係脱部９に係合した状態で、その側縁は係脱部３２ｂと箱体挿脱部３２ａとの間に位置する。
【００２２】
上記蝶棒３は、図１〜図３に示すように、ファスナーテープＴのファスナーエレメントＥに連接して一体成形によりファスナーテープＴの一端に取り付けられている。本発明にあって、蝶棒３は箱体１の上記特徴的構成と組み合わされる特徴的な構成を備えている。本実施形態にあっては、図３に示すとおり、蝶棒３の基部３１がファスナーテープＴの端部に成形一体化され、その蝶棒本体３２はファスナーテープ端部のＪ字状折曲縁部４の折り曲げ形状に倣った略横Ｕ字断面に成形され、ファスナーテープ端からテープ長さ方向に沿って外部へと延設されている。ファスナーテープ端の折曲縁部４は、横Ｕ字断面に形成された前記蝶棒３の内面に沿って蝶棒３に埋設一体化されている。
【００２３】
ファスナーテープＴの端部から延出する前記蝶棒本体３２は、箱体１の上記蝶棒挿脱空間部７に挿脱する箱体挿脱部３２ａ、箱体１の上記被係脱部９に係脱する係脱部３２ｂ、及び離間して平行に配された前記箱体挿脱部３２ａと前記係脱部３２ｂとのエレメント取付縁部側の側端を連結する側壁部３２ｂとを有している。前記箱体挿脱部３２ａと前記係脱部３２ｂとの内面間距離Ｄは、箱体挿脱部３２ａと前記係脱部３２ｂとが箱体１の上記隔壁８を挟着することができる寸法に設定される。つまり、内面管距離Ｄは隔壁８の壁厚よりも大きく設定されている。前記係脱部３２ｂと前記箱体挿脱部３２ａとは同じ長さ、つまり下端位置が同じである。
【００２４】
前記箱体挿脱部３２ａ及び前記係脱部３２ｂは、図３に示すとおり角柱状を呈しており、その基部３１から先端に向けてファスナーテープＴの本体側に僅かに傾斜して延出しており、前記係脱部３２ｂのテープ本体側の側面は箱体挿脱部３２ａ及び前記係脱部３２ｂの全体の傾斜角度よりも傾斜角度を大きく設定している。箱体挿脱部３２ａの断面形状は箱体１の前記蝶棒挿脱空間部７に挿脱可能な略正方形に近く、前記係脱部３２ｂの断面形状は偏平な矩形状を呈している。この係脱部３２ｂは、図４に示すように箱体１に挿入時に、その箱棒２とは反対側の側面に上記被係脱部９の箱棒側の傾斜側面が当接して互いに係止する。そのため、上記被係脱部９の傾め立上り部分７ａの前記係脱部３２ｂとの係止面である箱棒側の傾斜側面の傾斜角度を、前記係脱部３２ｂのテープ本体係脱側面の傾斜角度と等しく設定されている。また、前記係脱部３２ｂは先端に向かうに従って薄くなる斜面状を呈している。
【００２５】
蝶棒３の前記側壁部３２ｃは、少なくとも前記係脱部３２ｂの全長と等しい長さを有しており、その肉厚は箱体１の上記隔壁８に形成された切欠き部８ａに挿入可能な寸法に設定されている。前記側壁部３２ｃと前記係脱部３２ｂとの長さが全長にわたって等しくされているため、図２に示すように、側壁部３２ｃは係脱部３２ｂの先端まで形成されることになる。したがって、前記切欠き部８ａは蝶棒３の箱体挿入時に前記側壁部３２ｃを全長にわたって案内する。また、ファスナーテープ端部の折曲縁部４のテープ本体側の表面には、図２に示すように、ファスナーテープＴの蝶棒取付端部を補強するため、蝶棒３の前記係脱部３２ｂから横格子状の補強部６が一体に成形されている。蝶棒３と補強部６とは同時に成形され、図１に示すように一体である。
【００２６】
以上の構成を備えた開離嵌挿具付き隠しスライドファスナーの開離嵌挿具を連結するにあたっては、図６及び図７に示すように、蝶棒３の箱体挿脱部３２ａを、スライダーＳの下翼板１０と、左右側縁からＬ字型に立ち上がる一対のフランジ１１のうち、箱棒２が挿通されていない側のフランジ１１との間に形成された案内空間に差し込むとともに、蝶棒３の係脱部３２ｂがフランジ１１の外側表面上に位置するようにして、箱体挿脱部３２ａと前記係脱部３２ｂとで前記フランジ１１を挟み込むように蝶棒３をスライダーＳに挿通させる。
【００２７】
このスライダーＳに蝶棒３を挿通させたのち、蝶棒３の箱体挿脱部３２ａを箱体１の蝶棒挿脱空間部７に挿入すると同時に、前記箱体挿脱部３２ａと前記係脱部３２ｂとが箱体１の隔壁８を跨ぐように、係脱部３２ｂが箱体１の被係脱部９に係止するまで蝶棒３を押し込む。蝶棒３をスライダーＳの内部を挿通させた後に、箱体１の蝶棒挿入孔６に差し込む。本実施形態にあっては、図６に示すように、箱体１の上面を傾斜面１２に形成しているので、箱体１の上面に当接するスライダーＳが傾き、挿入操作が容易にできる。特に本発明では、蝶棒３の前記箱体挿脱部３２ａと係脱部３２ｂとを連結する側壁部３２ｃを、少なくとも係脱部３２ｂの全長にわたり設けているため、蝶棒３をスライダーＳに挿通させるとき、前記側壁部３２ｃの存在によって箱体挿脱部３２ａと係脱部３２ｂとがスライダーＳの下翼板を噛み込ませることがない。その結果、スライダーＳに対する挿入操作が更に容易となり、また従来のように箱体挿脱部３２ａと係脱部３２ｂとを裂くように破断させることもなくなる。
【００２８】
また本発明にあっては、蝶棒３に上記側壁部３２ｃを設けるとともに、箱体１の隔壁８の端部に前記側壁部３２ｃを全長にわたって案内する切欠き部８ａを形成している。そのため、従来のように、箱体挿脱部３２ａと係脱部３２ｂとの間でスライダーＳの下翼板１０を挟み込んだりすることがなく、箱体１に対する蝶棒３の挿入に際しての操作性を損ねたり係脱部３２ａを破損することもなくなる。また更に、箱体１への蝶棒３の挿入が終ると、図４に示すように、蝶棒３の係脱部３２ｂの傾斜面と箱体１の被係脱部９の傾斜側面とが自動的に当接して互いが係止され、箱体１と蝶棒３との間にガタツキがなくなる。
【００２９】
更に加えて、箱体１への蝶棒３の挿入が終ったあとに、箱体１と蝶棒３との間にファスナーテープ面に直交する大きな力（突き上げ力）が加わったとしても、前記側壁部３２ｃの存在のため、箱体挿脱部３２ａと係脱部３２ｂとが離間する方向に変形することがなくなり、蝶棒３の箱体１に対する安定した挿入形態が維持され、蝶棒３が箱体１から外れることもない。このため、図５に示すように、隔壁８の端縁は蝶棒３の側壁部３２ｃと全長にわたり対面するようにしている。また、前記側壁部３２ｃの存在は、開離嵌挿具に横方向の外力が加わったとしても、図５からも理解できるように、箱体挿脱部３２ａが蝶棒挿脱空間６で転がることを完全に防止する。
【００３０】
図８は、蝶棒３の変形例を示している。
この変形例によれば、蝶棒３の箱体挿脱部３２ａの長さを係脱部３２ｂの長さよりも長くしており、同時にその側壁部３２ｃを係脱部３２ｂの長さに等しく形成して、係脱部３２ｂの全長にわたって箱体挿脱部３２ａとの間を連結している。この例にあっても、前記側壁部３２ｃの存在によって、上記実施形態と同様に、スライダーＳの下翼板１０を箱体挿脱部３２ａと係脱部３２ｂとにより噛み込むことがなく、また箱体挿脱部３２ａや係脱部３２ｂが箱体１の隔壁８に引っ掛かったりすることがなくなる。
【図面の簡単な説明】
【００３１】
【図１】隠しスライドファスナーの開離嵌挿具取付端部の分解斜視図である。
【図２】同開離嵌挿具取付端部における箱棒側の正面図である。
【図３】図２のIII-III 線に沿った矢視図である。
【図４】箱体に蝶棒を挿入したときの係脱部側から見た正面図である。
【図５】図４のIV-IV 線に沿った矢視断面図である。
【図６】開離嵌挿具の蝶棒挿入時の様子を示す正面図である。
【図７】図６におけるVII-VII 線に沿った矢視図である。
【図８】蝶棒の変形例を示す部分断面図である。
【符号の説明】
【００３２】
１        箱体
２        箱棒
２ａ      内壁面
３        蝶棒
３１      基部
３２ａ    箱体挿脱部
３２ｂ    係脱部
３２ｃ    側壁部
４        折曲縁部
４ａ      折曲縁片
４ｂ      テープ本体
５        芯紐
６        補強部
７        蝶棒挿脱空間部
８        隔壁
８ａ      切欠き部
９        被係脱部
９ａ      傾め立上り部分
９ｂ      水平部分
Ｔ        ファスナーテープ
Ｓ        スライダー
【図１】
2008220842.tif 000003
【図２】
2008220842.tif 000004
【図３】
2008220842.tif 000005
【図４】
2008220842.tif 000006
【図５】
2008220842.tif 000007
【図６】
2008220842.tif 000008
【図７】
2008220842.tif 000009
【図８】
2008220842.tif 000010